(57)【要約】【課題】排水管内の初期水の漏れを無くし初期水を確実に保持する。【解決手段】地中に上流側上位から下流側下位に傾斜して埋設される排水管１と、排水管１に長さ方向に所定間隔毎に接続されて上端部が地表に露出される複数の縦管２と、排水管１の下流端部に接続されて上面開口部が開閉自在な大型貯留槽３と、大型貯留槽３の底部開口部と下水管とを接続する中継管４と、大型貯留槽３の底部開口部に中継管４を開閉する溜池栓５とを具備し、排水管１と大型貯留槽３とに、最上流位置の縦管２に対応する排水管１の水位が所定深さとなるように初期水を貯留し、所定時間ごとに、大型貯留槽３の上面開口部から操作チェーン５ｅを操作して溜池栓５の弁蓋５ｂを開放し、し尿を初期水と共に中継管４から下水管に排出するように構成した。【選択図】図１
2007291657.tif 000002
【特許請求の範囲】
【請求項１】
地中に上流側上位から下流側下位に傾斜して埋設される排水管と、当該排水管に長さ方向に所定間隔毎に接続されて上端部が地表に開口される複数の縦管とを具備した仮設トイレ用配管装置であって、
排水管の下流端部が接続され上面開口部が開閉自在な大型貯留槽を設置し、
前記大型貯留槽の底部開口部と下水管とを接続する中継管を設け、
前記大型貯留槽の底部開口部に前記中継管を開閉する溜池栓を設け、
前記排水管と前記大型貯留槽とに、最上流位置の縦管に対応する排水管の水位が所定高さとなるように初期水を貯留し、所定時間ごとに、大型貯留槽の上面開口部から索体を操作して溜池栓の弁蓋を開放し、排水管内および大型貯留槽内のし尿を初期水と共に中継管から下水管に排出するように構成した
仮設トイレ用配管装置。
【請求項２】
大型貯留層の初期水の水位より上方の部位と中継管の間に、オーバーフローした初期水とし尿とを下水管に排出するオーバーフロー管を設けた
請求項１記載の仮設トイレ用配管装置。
【請求項３】
地中に上流側上位から下流端下位に傾斜して埋設される排水管と、当該排水管に長さ方向に所定間隔毎に接続されて上端部が地表に開口される露出される複数の縦管とを具備した仮設トイレ用配管装置であって、
排水管の下流端部が接続されて上面開口部が開閉自在な大型貯留槽を埋設し、
前記大型貯留槽内に、貯留されたし尿を初期水と共に排出可能な排水ポンプを設けるとともに、当該排水ポンプから前記上面開口部を介して下水管に接続された吐出管を設け、
前記排水管と前記大型貯留槽とに、最上流位置の縦管に対応する排水管の水位が所定高さとなるように初期水を貯留し、所定時間ごとに前記排水ポンプを起動してし尿を初期水と共に吐出管から下水管に排出するように構成した
仮設トイレ用配管装置。
【請求項４】
大型貯留槽の底部に傾斜面を形成するとともに、前記傾斜面の下位に排水ポンプの吸引口を開口させた
請求項３記載の仮設トイレ用配管装置。
【発明の詳細な説明】
【技術分野】
【０００１】
本発明は、地震などの緊急災害時に、避難地に設置される仮設トイレ用配管装置に関する。
【背景技術】
【０００２】
たとえば特許文献１に開示された仮設トイレ用配管構造は、地中に上流側上位から下流側下位に傾斜して埋設される排水管と、この排水管に長さ方向に所定間隔毎に接続されて上端部が地表に露出される複数の縦管と、縦管の上端部に設置された便器と、排水管の下流端に設けられたマンホールとを具備し、マンホールと既設の下水管とを接続したものである。上記従来構成では、排水管のマンホール側またはマンホール内の排水管端部にスライドゲートを取り付けている。使用に際しては、スライドゲートを閉じて排水管内に初期水を溜めておき、初期水により縦管から落下されるし尿の軟化を促進し、所定量のし尿が溜まると、スライドゲートをあけてし尿を初期水と共にマンホール側に流し、下水管に排出するものである。
【特許文献１】特開平１１−１０７３６２号公報
【発明の開示】
【発明が解決しようとする課題】
【０００３】
上記従来構成において、スライドゲートは、操作ロッドにより平板状のゲート板を排水管内の弁座面に沿って上下にスライドさせて開閉するように構成されたもので、ゲート板は弁座面に沿って摺動されるため、弁座面にパッキングなどの止水部材を設けても止水性能が低く、また時間の経過と共に止水性能が低下しやすいものであり、このため排水管内に初期水が確実に保持されずに流出する恐れがあった。このような場合、縦管から落下されたし尿が排水管内で堆積固化して排出されず、使用不能に陥るおそれがあった。
【０００４】
本発明は上記問題点を解決して、排水管内の初期水の漏れを防止して確実に保持できる仮設トイレ用配管装置を提供することを目的とする。
【課題を解決するための手段】
【０００５】
請求項１記載の発明は、地中に上流側上位から下流側下位に傾斜して埋設される排水管と、当該排水管に長さ方向に所定間隔毎に接続されて上端部が地表に開口される複数の縦管とを具備した仮設トイレ用配管装置であって、排水管の下流端部が接続され上面開口部が開閉自在な大型貯留槽を設置し、前記大型貯留槽の底部開口部と下水管とを接続する中継管を設け、前記大型貯留槽の底部開口部に前記中継管を開閉する溜池栓を設け、前記排水管と前記大型貯留槽とに、最上流位置の縦管に対応する排水管の水位が所定高さとなるように初期水を貯留し、所定時間ごとに、大型貯留槽の上面開口部から索体を操作して溜池栓の弁蓋を開放し、排水管内および大型貯留槽内のし尿を初期水と共に中継管から下水管に排出するように構成したものである。
【０００６】
請求項２記載の発明は、請求項１記載の構成において、大型貯留層の初期水の水位より上方の部位と中継管の間に、オーバーフローした初期水とし尿とを下水管に排出するオーバーフロー管を設けたものである。
【０００７】
請求項３記載の発明は、地中に上流側上位から下流端下位に傾斜して埋設される排水管と、当該排水管に長さ方向に所定間隔毎に接続されて上端部が地表に開口される複数の縦管とを具備した仮設トイレ用配管装置であって、排水管の下流端部が接続され上面開口部が開閉自在な大型貯留槽を埋設し、前記大型貯留槽内に、貯留されたし尿を初期水と共に排出可能な排水ポンプを設けるとともに、当該排水ポンプから前記上面開口部を介して下水管に接続された吐出管を設け、前記排水管と前記大型貯留槽とに、最上流位置の縦管に対応する排水管の水位が所定高さとなるように初期水を貯留し、所定時間ごとに前記排水ポンプを起動してし尿を初期水と共に吐出管から下水管に排出するように構成したものである。
【０００８】
請求項４記載の発明は、請求項３記載の構成において、大型貯留槽の底部に傾斜面を形成するとともに、前記傾斜面の下位に排水ポンプの吸引口を開口させたものである。
【発明の効果】
【０００９】
請求項１記載の発明によれば、大型貯留槽の底部に設けた溜池栓により、溜池栓の弁体の自重と水圧とにより高い止水性を確保することができるとともに、上面開口部から索体を引き上げて弁蓋を開けることにより、中継管を容易かつ迅速に開放することができる。この開放時の水激性により、排水管内のし尿を初期水と共に短時間に大型貯留槽に流下させて、大型貯留槽から中継管を介して下水管に送り出すことができる。
【００１０】
請求項２記載の発明によれば、オーバーフロー管により、大型貯留層からオーバーフローした初期水とし尿とを、中継管を介して下水管に排出することができる。
請求項３記載の発明によれば、排水管および大型貯留槽と、下水管とを独立して設置したので、初期水を確実に確保することができ、初期水が漏れて縦管から落下されたし尿が堆積固化する事故を確実に防止することができる。また大型貯留槽に設けた排水ポンプにより、排水管と大型貯留槽内のし尿を初期水と共に確実に下水管に送り出すことができる。
【００１１】
請求項４記載の発明によれば、排水ポンプにより、傾斜面に案内されて沈降されるし尿と初期水とを、吸引口から吸引して下水管に効率よく排出することができる。
【発明を実施するための最良の形態】
【００１２】
本発明は、緊急災害時などの被災地に設置される仮設トイレ用配管装置で、実施の形態を図面に基づいて説明する。
［実施の形態１］
本発明に係る実施の形態１を図１〜図４を参照して説明する。
【００１３】
この仮設トイレ用配管装置は、し尿を軟化させる初期水を貯留する止水性に優れた溜池栓５を使用したものである。
図１，図２に示すように、地中には、上流側上位から下流側下位に一定の勾配で傾斜される排水管１が埋設され、この排水管１の上面に、長さ方向に所定間隔毎に上端部が地表に露出される複数本（図では６本）の縦管２が立設されて接続されている。また排水管１の下流端部には大型貯留槽３が設置されている。また大型貯留槽３の底板３ａに形成された開口部３ｃに、中継管４が接続され、この中継管４が既設の下水管（図示せず）に接続されている。そして大型貯留槽３の開口部３ｃに、中継管４を開閉する溜池栓５が設けられている。
【００１４】
前記排水管１は、図４に示すように、ポリエチレン製で口径が４００〜６００ｍｍ程度の２本の単管１ａを継ぎ手を介して接続して所定の長さに形成され、上流端が閉鎖板１ｂにより閉鎖されている。そしてこの排水管１は、掘削された設置溝６内に基礎砕石６ａを介してたとえば２％の一定の勾配で設置され、覆土で覆われている。
【００１５】
前記縦管２はポリエチレン製で、サドル付き支管２ａと、この支管２ａの上部に接続された縦管本体２ｂと、縦管本体２ｂの上端を開閉自在なキャップ２ｃとを具備し、排水管１の上面に長さ方向に一定ピッチで形成された縦管用開口部１ｃに支管２ａが嵌合されそのサドルが取付バンド２ｄを介して排水管１に取り付けられている。また縦管２の上端部周囲には、開閉蓋２ｆ付きのスラブ枠２ｅが設けられ、開閉蓋２ｆとキャップ２ｃを取り外した状態で、最上流位置の縦管２以外の縦管本体２ｂの上部に便座７が取り付けられる。なお、最上流位置の縦管２は初期水の給水用として使用される。
【００１６】
大型貯留槽３は、図３に示すように、掘削された設置溝６に基礎砕石６ａおよびコンクリート製の床版６ｂを介してポリエチレン製で円筒体に形成された槽本体３ｂが設置され、この槽本体３ｂは作業員が内部で作業可能な内径に形成され、また側面の中間位置に排水管１の下流端が接続されている。そして排水管１の接続部より少し下位に底板３ａが取り付けられ、この底板３ａの中央部に形成された開口部３ｃに、中継管４が接続されるとともに、溜池栓５が設けられている。前記底板３ｃの下部には、床版６ｂとの間に開口部３ｃを囲む補強筒体３ｄが設置されている。前記中継管４は、上流端のエルボ管部４ａと、このエルボ管部４ａに接続された直管部４ｂからなり、エルボ管部４ａは、垂直端が開口部３ｃに接続され、水平端が補強筒体３ｄの側部開口面を通過して直管部４ｂに接続されている。そして直管部４ｂは槽本体３ｂの下部を貫通されて下流端が既設の下水管（図示せず）に接続される。また底板３ａの上面には、モルタルなどにより、初期水やし尿を開口部３ｃに案内する傾斜面３ｈが形成された案内面構造（インバート構造）となっている。
【００１７】
また槽本体３ｂの上面開口部周囲には、コンクリート製のスラブ枠３ｅが配置され、このスラブ枠３ｅに鉄蓋３ｆが開閉自在に取り付けられている。またこの鉄蓋３ｆに形成された小窓部に、取り外し自在な小蓋３ｇが取り付けられている。
【００１８】
前記溜池栓５は、重量がありかつさびにくい鋳鉄製や青銅製で、開口部３ｃに取り付けられた受け座枠５ａと、この受け座枠５ａに水平ピン５ｃを介して開閉自在に取り付けられた弁蓋５ｂとで構成されている。この溜池栓５は、弁蓋５ｂの自重と弁蓋５ｂにかかる水圧とにより、弁蓋５ｂが受け座枠５ａの弁座面に圧接されることにより、止水性が高くまた耐久性も高い。またこの弁蓋５ｂには、水平ピン５ｃと反対側のブラケット５ｄに操作チェーン（索体）５ｅが連結されており、この操作チェーン５ｅの先端部が前記小蓋３ｇに連結されている。したがって、前記小蓋３ｇを外して小窓から操作チェーン５ｅを引き出すことにより弁蓋５ｂを容易に開閉することができ、また誤って操作チェーン５ｅを大型貯水槽３内に落下させることもない。
【００１９】
前記大型貯留槽３と中継管４の間には、オーバーフローした初期水とし尿とを下水管に排出するオーバーフロー管８が接続されている。このオーバーフロー管８は、上流端が槽本体３ｂの側面で、初期水の水面Ｗより少し上位に接続されて開口され、下流端が中継管４の直管部４ｂに接続されている。
【００２０】
上記構成において、使用する延べ人数に応じた所定時間ごと（ここで「所定時間」とは、予め決定された時間ではなく、使用状態やし尿の貯留状態から判断される排出を必要とする時間をいう）に、前記大型貯留槽３の鉄蓋３ｆの小蓋３ｇを開けて操作チェーン５ｅを引き上げ、溜池栓５の弁蓋５ｂを一気に開放する。この水激性により、排水管１内のし尿が初期水と共に一気に大型貯留槽３から中継管４に流入し、下水管に排出される。排出が完了すると、操作チェーン５ｅを下ろして溜池栓５の弁蓋５ｂを閉じ、最上流位置の縦管２から初期水を供給する。そして、最上流位置の縦管２に対応する排水管１の水位が所定高さになると、初期水の供給を停止する。
【００２１】
上記実施の形態によれば、大型貯留槽３の底板３ａで中継管４が接続された開口部３ｃに、自重と水圧とにより弁蓋５ｂが受け座枠５ａの弁座面に圧接される溜池栓５を設けたので、高い止水性を長期間確保することができ、初期水が下水管に漏出してしまうことがない。また操作チェーン５ｅを介して弁蓋５ｂを容易かつ一気に開放することができ、その水激性によりし尿を停滞させることなく初期水と共に排水管１から大型貯留槽３を介して下水管ににスムーズに排出することができる。これにより、初期水の漏出の防止と、安定したし尿の排水を実現することができる。
【００２２】
［実施の形態２］
次に本発明に係る実施の形態２を図５〜図７を参照して説明する。なお、実施の形態１と同一部材には同一符号を付して説明を省略する。
【００２３】
大型貯留層１３は、図３に示すように、ポリエチレン製で作業員が内部で作業可能な内径に形成された円筒体形の槽本体１３ｂが設置され、槽本体１３ｂの底部１３ａに、し尿を初期水と共に排出可能な排水ポンプ１１が設置されている。槽本体１３ｂの上面開口部にはスラブ枠３ｅを介して鉄蓋３ｆが開閉自在に配置されている。
【００２４】
また大型貯留層１３の底部１３ａが、左右両側で外側上位から中心側下位に傾斜されてし尿を案内する傾斜面１３ｈを有する案内面構造に形成され、排水ポンプ１１の吸引口１１ａが傾斜面１３ｈの下位部に臨んで開口されている。また排水ポンプ１１の吐出口１１ｂに接続された排水チューブ（排水管）１２が鉄蓋３ｆの小窓から導出されて既設の下水管（図示せず）に接続されている。
【００２５】
上記構成において、使用する延べ人数に応じた所定時間ごとに、前記大型貯留槽１３内の排水ポンプ１１を起動して排水管１および大型貯留槽１３内の尿が初期水と共に吸引し排水チューブ（吐出管）１２から下水管に排出する。排出が完了すると、排水ポンプ１１を停止し、最上流位置の縦管２から初期水を供給する。そして、最上流位置の縦管２に対応する排水管１の水位が所定高さになると、初期水の供給を停止する。
【００２６】
上記実施の形態によれば、下水管と独立して大型貯留槽１３を設置し、大型貯留槽１３の底部１３ａに設けた排水ポンプ１１により、し尿を初期水と共に下水管に排出するように構成したので、初期水が下水管に漏出してしまうことが無くなり、し尿の固化堆積による排水不能が生じるのを確実に防止することができる。また排水ポンプ１１により排出する簡単な構造となるので、メンテナンスも容易となる。さらに大型貯留層１３の底部１３ａを傾斜面１３ｈを有する案内面構造としたので、排水ポンプ１１の吸引口１１ａにし尿がスムーズに案内され、効率よく排出することができる。
【図面の簡単な説明】
【００２７】
【図１】本発明に係る仮設トイレ用配管装置の実施の形態１を示す全体側面図である。
【図２】仮設トイレ用配管装置の全体平面図である。
【図３】大型貯留槽の縦断面図である。
【図４】縦管を示す排水管の横断面図である。
【図５】本発明に係る仮設トイレ用配管装置の実施の形態２を示す全体側面図である。
【図６】仮設トイレ用配管装置の全体平面図である。
【図７】大型貯留槽の横断面図である。
【符号の説明】
【００２８】
Ｗ    初期水の水位
１    排水管
２    縦管
３    大型貯留槽
３ａ  底板
３ｂ  槽本体
３ｃ  開口部
３ｆ  鉄蓋
３ｇ  小蓋
３ｈ  傾斜面
４    中継管
５    溜池栓
５ａ  受け座枠
５ｂ  弁蓋
５ｃ  水平ピン
５ｅ  操作チェーン
７    便座
８    オーバーフロー管
１１    排水ポンプ
１１ａ  吸引口
１２    排水チューブ
１３    大型貯留槽
１３ｈ  傾斜面
【図１】
2007291657.tif 000003
【図２】
2007291657.tif 000004
【図３】
2007291657.tif 000005
【図４】
2007291657.tif 000006
【図５】
2007291657.tif 000007
【図６】
2007291657.tif 000008
【図７】
2007291657.tif 000009